(57)【要約】【課題】コンクリート製の第１外壁部の合理的な改造により、建物の外観デザインの向上を図りつつ西日の侵入を効果的に抑制することができ、しかも、第１外壁部の重量化を抑制しながら熱的環境改善に有効な横断面積の大きな通風路をローコストで容易に形成することのできる建物の外壁構造を提供する。【解決手段】コンクリート製の第１外壁部Ａと他の第２外壁部Ｂとを組み合わせて建物の外壁を構成してある建物の外壁構造であって、第１外壁部Ａは、第２外壁部Ｂよりも建物外部側に突出形成され、且つ、その内部が中空となるコの字状の横断面形状に形成され、第１外壁部Ａの内部空間が通風路２１に構成されている。【選択図】図５
2018096055.tif 000002
【特許請求の範囲】
【請求項１】
コンクリート製の第１外壁部と他の第２外壁部とを組み合わせて建物の外壁を構成してある建物の外壁構造であって、
前記第１外壁部は、前記第２外壁部よりも建物外部側に突出形成され、且つ、その内部が中空となるコの字状の横断面形状に形成され、前記第１外壁部の内部空間が通風路に構成されている建物の外壁構造。
【請求項２】
前記第１外壁部には、前記通風路を屋内竪ダクトとするダクト型と、前記通風路と建物外部との間で給排気する給排気型とが備えられている請求項１記載の建物の外壁構造。
【請求項３】
前記ダクト型の第１外壁部の通風路には、暖気を通風する暖気通風状態と冷気を通風する冷気通風状態とに切り替えるシャッター機構が設けられている請求項１又は２記載の建物の外壁構造。
【請求項４】
前記給排気型の第１外壁部には、前記通風路と建物外部とを連通する給排気用のスリットが形成され、このスリットからの雨水の浸入を抑制する雨水侵入抑制構造が設けられている請求項１〜３のいずれか１項に記載の建物の外壁構造。
【請求項５】
前記第１外壁部がプレキャストコンクリート製のピラスターであり、前記第２外壁部がガラスカーテンウォールである請求項１〜４のいずれか１項に記載の建物の外壁構造。
【発明の詳細な説明】
【技術分野】
【０００１】
本発明は、ピラスター等のコンクリート製の第１外壁部とガラスカーテンウォール等の他の第２外壁部とを組み合わせて建物の外壁を構成してある建物の外壁構造に関する。
【背景技術】
【０００２】
建物の外壁構造においては、例えば、ペリメーターに滞留する夏期の温熱や冬期の冷熱を排出したり、建物内部と建物外部との間での吸排気による自然換気など、建物内部の熱的環境改善のための通風路を形成する必要がある。
そして、コンクリート製の第１外壁部と他の第２外壁部とを組み合わせた建物の外壁構造ではないが、コンクリート製の外壁部のみで構成される建物の外壁構造においては、例えば、特許文献１の第１図、第２図に示すように、コンクリート製躯体の外面に、上下方向の通気路を備えた断熱複合パネルが取付けられた建物の外壁構造が存在する。この外壁構造では、上下方向に配置される複数の断熱複合パネルで形成される通気路の下端は建物外部に向けて開口形成され、通気路の上端はパラペットに開口形成されている。
【０００３】
また、断熱複合パネルは、コンクリート製躯体の外面側に向かって開口する通気路形成用の凹部を設けてあるプレキャスト版半成品と、このプレキャスト版半成品の凹部の開口を閉塞する状態で当該プレキャスト版半成品の躯体接合面側に固着される断熱材とから構成されている。そして、躯体を構築するコンクリートの打設固化により、躯体コンクリートと断熱複合パネルとが一体的に接合された外壁が構築されている。
【先行技術文献】
【特許文献】
【０００４】
【特許文献１】特公平６−５１９９３号公報
【発明の概要】
【発明が解決しようとする課題】
【０００５】
上述の特許文献１の建物の外壁構造では、コンクリート製の外壁部のみで構成されているため、建物の外観が変化の少ないデザインになり易い。しかも、断熱複合パネルの通気路は、断熱層の内部結露の防止及び室内室外の水蒸気圧差による透湿発散により、断熱材の断熱性能の低下を抑制するものであり、ペリメーター等に滞留する温熱・冷熱の排出機能や建物内部と建物外部との間での吸排気による自然換気機能は存在しない。
【０００６】
しかも、外壁外面の鉛直平面に沿って配置される各断熱複合パネルは、左右幅に比して厚みの薄い偏平版状に構成されているため、通気路を断熱複合パネルの左右幅方向に拡張しても、通気路の横断面積の拡大に自ずと限界があった。
【０００７】
また、一般的な建物の外壁構造では、西日の侵入を抑制するための縦ルーバーを設置したり、建物外部との吸排気用のガラリをカーテンウォールに設ける対策が採られているが、そのいずれもコストの高騰化を招来する一つの要因になっている。
【０００８】
この実情に鑑み、本発明の主たる課題は、コンクリート製の第１外壁部の合理的な改造により、建物の外観デザインの向上を図りつつ西日の侵入を効果的に抑制することができ、しかも、第１外壁部の重量化を抑制しながら熱的環境改善に有効な横断面積の大きな通風路をローコストで容易に形成することのできる建物の外壁構造を提供する点にある。
【課題を解決するための手段】
【０００９】
本発明による第１の特徴構成は、コンクリート製の第１外壁部と他の第２外壁部とを組み合わせて建物の外壁を構成してある建物の外壁構造であって、
前記第１外壁部は、前記第２外壁部よりも建物外部側に突出形成され、且つ、その内部が中空となるコの字状の横断面形状に形成され、前記第１外壁部の内部空間が通風路に構成されている点にある。
【００１０】
上記構成によれば、第２外壁部よりも建物外部側に突出形成されたコンクリート製の第１外壁部を、西日の侵入を抑制可能な装飾柱に構成することができる。しかも、この建物外部側に突出する第１外壁部を、それの内部が中空となるコの字状の横断面形状に形成することにより、当該第１外壁部の重量化を抑制しながら、それの内部に熱的環境改善に有効な横断面積の大きな通風路を形成することができる。
【００１１】
したがって、装飾柱を構成する第１外壁部と他の第２外壁部との組み合わせによって、建物の外観デザインの向上を図りつつ西日の侵入を効果的に抑制することができる。しかも、コンクリート製の第１外壁部の横断形状をコの字状に形成するという合理的な改造により、第１外壁部の重量化を抑制しながら熱的環境改善に有効な横断面積の大きな通風路をローコストで容易に形成することができる。
【００１２】
本発明による第２の特徴構成は、前記第１外壁部には、前記通風路を屋内竪ダクトとするダクト型と、前記通風路と建物外部との間で給排気する給排気型とが備えられている点にある。
【００１３】
上記構成によれば、ダクト型の第１外壁部においては、竪ダクトとしてペリメーター等に滞留する温熱・冷熱を排出することができる。吸排気型の第１外壁部においては、中間期（春，秋）に外気導入を行うことができる。それ故に、年間を通じて窓際の快適な環境を維持することができる空調処理システムを構造面、コスト面で有利に構成することができる。
【００１４】
本発明による第３の特徴構成は、前記ダクト型の第１外壁部の通風路には、暖気を通風する暖気通風状態と冷気を通風する冷気通風状態とに切り替えるシャッター機構が設けられている点にある。
【００１５】
上記構成によれば、ペリメーター付近に滞留する温熱・冷熱を排出するためのシャッター機構を、竪ダクトを構成する通風路内にコンパクトに組付けることができる。
【００１６】
本発明による第４の特徴構成は、前記給排気型の第１外壁部には、前記通風路と建物外部とを連通する給排気用のスリットが形成され、このスリットからの雨水の浸入を抑制する雨水侵入抑制構造が設けられている点にある。
【００１７】
上記構成によれば、自然換気を行うためのスリットを形成しながらも、雨水侵入抑制構造によってスリットからの雨水の浸入を抑制することができる。
【００１８】
本発明による第５の特徴構成は、前記第１外壁部がプレキャストコンクリート製のピラスターであり、前記第２外壁部がガラスカーテンウォールである点にある。
【００１９】
上記構成によれば、内部空間を通風路に構成する横断面形状がコの字状の第１外壁部であるピラスターのＰＣａ化により、ピラスターの製作・施工の能率化、コスト縮減化を図ることができる。しかも、例えば、建物の周方向に沿ってガラスカーテンウォールと交互に配置されるピラスターにより、縦ルーバーを設置したのと同等な効果を得ることができるので、例えば、建物の外壁全体をガラスカーテンウォールから構成し、且つ、縦ルーバーを別途設置する場合に比較してコストの低廉化を図ることができる。
【図面の簡単な説明】
【００２０】
【図１】本発明の建物の外壁構造の一部を示す斜視図
【図２】図１におけるＩＩ―ＩＩ線断面図
【図３】図１におけるＩＩＩ―ＩＩＩ線断面図
【図４】図１におけるＩＶ―ＩＶ線断面図
【図５】ダクト型ピラスターの水平断面図
【図６】換気システム機構の斜視図
【図７】給排気型ピラスターの水平断面図
【図８】ピラスターの第１避雷構造（ａ）を示す水平断面図と第２避雷構造（ｂ）を示す水平断面図
【発明を実施するための形態】
【００２１】
〔第１実施形態〕
図１は、高層ビル等の建物の外壁構造を示す。本実施形態においては、コンクリート製の第１外壁部の一例であるプレキャストコンクリート製のピラスター（装飾柱又は付柱）Ａと、他の第２外壁部の一例であるガラスカーテンウォールＢとを、左右方向（建物周方向）に交互に位置する状態で組み合わせて建物の外壁が構成されている。
ピラスターＡは、ＰＣａ工場やＰＣａ製作サイト等のＰＣａ製作場において、鉄筋を配筋した状態でのコンクリートの打設により予め製作されている。このピラスターＡは、図３、図４に示すように、下階のフリーアクセスフロア４から上階のフリーアクセスフロア４までの高さに相当する長さに構成されている。
また、ピラスターＡの下端及び上端には、下階のピラスターＡの上端の接合部２０ｂ及び上階のピラスターＡの下端の接合部２０ａに上下方向から接合固定される接合部２０ａ，２０ｂが形成されており、ピラスターＡを躯体１の外壁構築位置に揚重して接合固定しながら順次縦方向に積み上げることにより、建物の外壁におけるコンクリート製外壁部を構築している。
また、ガラスカーテンウォールＢも、同様に躯体１の外壁構築位置に揚重して固定しながら順次縦方向に積み上げることにより、建物の外壁におけるガラス製外壁部を構築している。
【００２２】
ピラスターＡは、図１、図５、図７に示すように、ガラスカーテンウォールＢよりも建物外部側に突出形成され、且つ、その内部が建物内部側に向かって開口する中空状のコの字状の横断面形状に形成され、このコの字状に窪むピラスターＡの内部空間が通風路２１に構成されている。
そして、ガラスカーテンウォールＢよりも建物外部側に突出形成されたピラスターＡにより、西日の侵入を良好に抑制することができるとともに、建物の外観を、繊細な縦格子のプレキャストコンクリート製のピラスターＡとガラスカーテンウォールＢとが建物周方向で連続する特徴的なデザインに構成することができる。しかも、コンクリート製のピラスターＡの横断形状をコの字状に形成するという合理的な改造により、ピラスターＡの重量化を抑制しながら熱的環境改善に有効な横断面積の大きな通風路２１をローコストで容易に形成することができる。
【００２３】
さらに、ピラスターＡは、図３、図５に示すように、通風路２１を屋内竪ダクトとするダクト型ピラスターＡ１と、図４、図７に示すように、通風路２１と建物外部との間で給排気する給排気型ピラスターＡ２との二種から構成されている。
本実施形態においては、ピラスターＡは、図１に示すように、躯体１の両鉄骨コンクリート柱２に対応する柱対応位置と、両鉄骨コンクリート柱２間において左右方向に所定間隔をおいた中間三箇所との合計五箇所に配置されている。そのうち、給排気型ピラスターＡ２は柱間中央位置に配置され、それ以外の四箇所にはダクト型ピラスターＡ１がそれぞれ配置されている。
【００２４】
次に、ダクト型ピラスターＡ１について説明する。
ダクト型ピラスターＡ１は、図５に示すように、ガラスカーテンウォールＢの積層ガラス７０を気密状態で保持する枠材７１に対応する奥行き寸法を備えた壁基部３０と、ガラスカーテンウォールＢの枠材７１の縦枠部７１Ａよりも建物外部側に先窄まり状態で張り出す横断面形状が略「Ｍ」字状の装飾壁部３１とを一体形成して構成されている。そのうち、装飾壁部３１には、それの左右方向の両側部において上下方向の全域に突出形成される左右一対の外側突条部３１Ａと、両外側突条部３１Ａよりも小なる突出寸法で左右方向の中央位置において上下方向の全域に突出形成される中央突条部３１Ｂとが形成されている。
そのため、装飾壁部３１の両外側突条部３１Ａと中央突条部３１Ｂとにより、建物外部側に向かって開口する横断面形状がＭ字状の外側溝部３２が形成されている。
【００２５】
ダクト型ピラスターＡ１の壁基部３０のうち、通風路２１を窪み形成する風路形成凹部３０Ａは、図５に示すように、外側溝部３２の左右方向の最大開口幅よりも少し大なる最大開口幅で、且つ、壁基部３０から装飾壁部３１側に少し入り込む（ガラスカーテンウォールＢよりも建物外部側に突出する）風路深さに構成されている。
また、図３に示すように、通風路２１の上端となる風路形成凹部３０Ａの上端面３０ａは、天井裏空間８内の第１天井内ダクト４１の開口部よりも若干上方に配置され、通風路２１の下端となる風路形成凹部３０Ａの下端面３０ｂは、下階側のフリーアクセスフロア４よりも少し上方に配置されている。
また、図５に示すように、ダクト型ピラスターＡ１の壁基部３０のうち、風路形成凹部３０Ａ及びこれの開口縁に連続する建物内部側の左右の内側端面３０ｃには、現場発泡のウレタン吹付けによる断熱層３３が形成されている。
【００２６】
また、図５に示すように、ダクト型ピラスターＡ１の壁基部３０における左右の両外側面３０ｄとガラスカーテンウォールＢの枠材７１の縦枠部７１Ａとの間は、ウィンドバリアを構成するシリコーンスポンジ製のパッキン３５及びレインバリアを構成するＥＰＤＭ−Ｓ製のガスケット３６が設けられている。
【００２７】
さらに、図５に示すように、ガラスカーテンウォールＢの枠材７１の縦枠部７１Ａにおける建物内部側の端面７１ａには、ガラスカーテンウォールＢのブラインドボックス３７側とダクト型ピラスターＡ１の通風路２１側との間を区画する縦額縁３８が取付けられている。そのうち、ダクト型ピラスターＡ１の左右両側に近接位置する縦額縁３８間には、ダクト型ピラスターＡ１の通風路２１に連通する状態で室内側に開口する拡張通風路３９が形成されている。この拡張通風路３９の室内側開口を閉止する化粧パネル４０は、両縦額縁３８の開口周縁部に対してケンドン式で脱着自在に取付けられている。
そして、両縦額縁３８間の拡張通風路３９の左右方向幅は、ダクト型ピラスターＡ１の通風路２１の左右方向幅よりも大なる寸法に構成されているため、通風路２１と拡張通風路３９とで形成される統合通風路の横断面形状は凸状に構成されている。
【００２８】
図３に示すように、ダクト型ピラスターＡ１の通風路２１及び拡張通風路３９の下部は、下階側の床スラブ３とフリーアクセスフロア４との間の床下チャンバー５に連通形成されている。床下チャンバー５には、図２〜図４に示すように、他のＯＡフロア下と区画するためのスチール製等の通気止め４７が設けられている。他方、ダクト型ピラスターＡ１の通風路２１及び拡張通風路３９の上部は、上階側の床スラブ３と天井パネル７との間の天井裏空間８内に配置された図外のプルファンを備えた第１天井内ダクト４１に接続され、プルファンで吸引された空気は、空調空気（温風、冷風）を生成して室内に供給する図外の空調機に還流空気として供給されたり、屋外に換気排出される。
【００２９】
さらに、図５、図６に示すように、ダクト型ピラスターＡ１の通風路２１及び拡張通風路３９の上側部位には、夏期において、ガラスカーテンウォールＢ側のペリメーターで滞留する暖気を第１天井内ダクト４１に通風する暖気通風状態と、冬期において、ダクト型ピラスターＡ１の通風路２１及び拡張通風路３９の下端側の冷気を第１天井内ダクト４１に通風する冷気通風状態とに切り替えるシャッター機構Ｃが設けられている。
【００３０】
このシャッター機構Ｃは、次の如く構成されている。
通風路２１及び拡張通風路３９の上側部位には平面視略凸形状の風路切替ユニットケース４２が配置され、各ガラスカーテンウォールＢのブラインドボックス３７の端部には、ブラインドボックス３７の内部空間に連通するダクト受けボックス３７Ａが形成されている。風路切替ユニットケース４２は、その内部空間が第１接続部４２Ａと第２接続部４２Ｂと第３接続部４３Ｃとの３つの接続部に区画されている。
両ブラインドボックス３７のダクト受けボックス３７Ａと風路切替ユニットケース４２の第１接続部４２Ａとをフレキシブルダクト４３で連通接続する。
また、風路切替ユニットケース４２の第２接続部４２Ｂをダクト型ピラスターＡ１の通風路２１に連通接続し、第１天井内ダクト４１を風路切替ユニットケース４２の第３接続部４２Ｃに連通接続する。
風路切替ユニットケース４２の内部には、第１接続部４２Ａと第３接続部４２Ｃとを連通接続する第１接続口４４Ａと、第２接続部４２Ｂと第３接続部４２Ｃとを連通接続する第２接続口４４Ｂと、第１接続口４４Ａと第２接続口４４Ｂとを択一的に開閉するスライドシャッター４５（図５参照）と、このスライドシャッター４５の開閉作動を司る開閉駆動機構４６とが設けられている。
ちなみに、図６（ａ）では、スライドシャッター４５にて第２接続口４４Ｂを閉塞（図６（ａ）中の斜線部分）して、第１接続口４４Ａを開放する状態を示し、図５、図６（ｂ）では、スライドシャッター４５にて第１接続口４４Ａを閉塞（図６（ｂ）中の斜線部分）して、第２接続口４４Ｂを開放する状態を示している。
尚、図３に示すように、風路切替ユニットケース４２の周囲には、ダクト型ピラスターＡ１の通風路２１及び拡張通風路３９を上端側で遮断するためのスチール製等の仕切板４８が設けられている。
【００３１】
そして、夏期の冷房時において、図６（ａ）に示すように、第１接続口４４Ａを開放し、且つ、第２接続口４４Ｂを閉塞する状態にスライドシャッター４５を切替作動させる。この状態でプルファンを駆動すると、ガラスカーテンウォールＢ側のペリメーターで滞留する暖気（図２、図３、図６（ａ）中の実線矢印を参照）は、ブラインドボックス３７→ダクト受けボックス３７Ａ→フレキシブルダクト４３→風路切替ユニットケース４２の第１接続部４２Ａ→第１接続口４４Ａ→第３接続部４２Ｃ→第１天井内ダクト４１に吸引され、空調機に還流空気として供給されたり、屋外に換気排出される。
【００３２】
また、冬期においては、図２に示すように、ガラスカーテンウォールＢ側のペリメーターの冷気（図２中の破線矢印を参照）を床下チャンバー５内に排出可能に構成されている。そして、冬期において、図５、図６（ｂ）に示すように、第１接続口４４Ａを閉塞し、且つ、第２接続口４４Ｂを開放する状態にスライドシャッター４５を切替作動させる。この状態でプルファンを駆動すると、床下チャンバー５内の冷気及びダクト型ピラスターＡ１の通風路２１の冷気（図３中の破線矢印、図６（ｂ）中の実線矢印を参照）は、風路切替ユニットケース４２の第２接続部４２Ｂ→第２接続口４４Ｂ→第３接続部４２Ｃ→第１天井内ダクト４１に吸引され、空調機に還流空気として供給されたり、屋外に換気排出される。
【００３３】
次に、給排気型ピラスターＡ２について説明する。
給排気型ピラスターＡ２は、図４、図７に示すように、ガラスカーテンウォールＢの積層ガラス７０を気密状態で保持する枠材７１に対応する奥行き寸法を備えた壁基部５０と、ガラスカーテンウォールＢの枠材７１の縦枠部７１Ａよりも建物外部側に先窄まり状態で張り出す横断面形状が略「Ｍ」字状の装飾壁部５１とを一体形成して構成されている。そのうち、装飾壁部５１には、それの左右方向の両側部において上下方向の全域に突出形成される左右一対の外側突条部５１Ａと、両外側突条部５１Ａよりも小なる突出寸法で左右方向の中央位置において上下方向の全域に突出形成される中央突条部５１Ｂとが形成されている。
そのため、装飾壁部５１の両外側突条部５１Ａと中央突条部５１Ｂとにより、建物外部側に向かって開口する横断面形状がＭ字状の外側溝部５２が形成されている。
【００３４】
給排気型ピラスターＡ２の壁基部５０のうち、通風路２１を窪み形成する風路形成凹部５０Ａは、図７に示すように、外側溝部５２の左右方向の最大開口幅よりも少し大なる最大開口幅で、且つ、壁基部５０の奥行き寸法よりも若干小なる風路深さに構成されている。
また、図４に示すように、通風路２１の上端となる風路形成凹部５０Ａの上端面５０ａは、天井裏空間８内に配設された第２天井内ダクト５５の開口部５５ａよりも若干上方に配置され、通風路２１の下端となる風路形成凹部５０Ａの下端面５０ｂは、フリーアクセスフロア４よりも少し上方に配置されている。
【００３５】
給排気型ピラスターＡ２には、図４、図７に示すように、通風路２１の左右方向両側部と外側溝部５２の左右方向両側部とをそれぞれ連通する一対の給排気用のスリット５３が形成されている。この一対のスリット５３の外方側開口５３ｂが外気導入口となり、両スリット５３の外方側開口５３ｂから通風路２１及び第２天井内ダクト５５を経由して建物内部に外気を導入し、建物の吸排気を行うように構成されている。
【００３６】
給排気型ピラスターＡ２の両スリット５３の各々は、図７に示すように、通風路２１側ほど広幅となるテーパー状に形成されているとともに、スリット５３からの雨水の浸入を抑制する雨水侵入抑制構造５４が設けられている。この雨水侵入抑制構造５４は、次の３つの構成要素から構成されている。
【００３７】
（１）雨水侵入抑制構造５４の第１の構成要素は、図７に示すように、各スリット５３の外方側通路部５３ａを屈曲形成して、各スリット５３の外方側開口５３ｂを、両外側突条部５１Ａの内側傾斜面５１ａの基部側において中央突条部５１Ｂの傾斜側面５１ｂに向かって開口させる。これにより、スリット５３をもって形成される吸排気路が横断面視において屈曲するため、スリット５３からの雨水の浸入を抑制している。
【００３８】
（２）雨水侵入抑制構造５４の第２の構成要素は、図４に示すように、各スリット５３の上端面５３ｅを、通風路２１の上部に開口する第２天井内ダクト５５の開口部５５ａよりも低い位置に形成することにより、スリット５３からの雨水の浸入を抑制している。
【００３９】
（３）雨水侵入抑制構造５４の第３の構成要素は、図７に示すように、給排気型ピラスターＡ２の通風路２１を形成する風路形成凹部５０Ａに、各スリット５３の内部側開口５３ｃを覆う防鳥網用のアルミパンチング等の多孔板５７をボルトで取付けることにより、鳥の侵入を防止すると同時に、スリット５３からの雨水の浸入を抑制している。
【００４０】
また、図７に示すように、給排気型ピラスターＡ２の通風路２１を形成する風路形成凹部５０Ａに設けた取付け片５８には、通風路２１の屋内側開口を閉塞する耐食性に優れた合金メッキ鋼板製の閉塞板５９が取付けられ、この閉塞板５９と給排気型ピラスターＡ２の屋内側端面とに渡る領域には、現場発泡のウレタン吹付けによる断熱層６０が形成されている。
【００４１】
図７に示すように、給排気型ピラスターＡ２の両外側突条部５１Ａにおける内側傾斜面５１ａの基部側で、且つ、各スリット５３の外方側開口５３ｂの形成箇所には、進入雨水を外面に沿って下方に流下案内する雨水止水溝６２が窪み形成されている。
この雨水止水溝６２に沿って進入雨水を流下案内することにより、進入雨水の垂れ流れによる汚れを集中できるので、給排気型ピラスターＡ２の美感を長期間に亘って維持することができる。
【００４２】
図７に示すように、給排気型ピラスターＡ２の壁基部５０における左右の両外側面５０ｃとガラスカーテンウォールＢの枠材７１の縦枠部７１Ａとの間は、ウィンドバリアを構成するシリコーンスポンジ製のパッキン３５及びレインバリアを構成するＥＰＤＭ−Ｓ製のガスケット３６が設けられている。
【００４３】
さらに、図７に示すように、ガラスカーテンウォールＢの枠材７１の縦枠部７１Ａにおける建物内部側の端面７１ａには、ガラスカーテンウォールＢのブラインドボックス３７側と給排気型ピラスターＡ２の通風路２１側との間を区画する縦額縁３８が取付けられている。そのうち、給排気型ピラスターＡ２の左右両側に近接位置する縦額縁３８間には、室内側に開口する内部空間６４が形成されている。この内部空間６４の室内側開口を閉止する化粧パネル４０は、両縦額縁３８の開口周縁部に対してケンドン式で脱着自在に取付けられている。
【００４４】
図８は、建物の頂部に配置されるピラスターＡの避雷対策の二つの避雷構造を示す。この実施形態で用いられるピラスターＡは、通風路２１を形成可能な壁基部８０と、左右一対の外側突条部８１Ａを形成してある装飾壁部８１とから構成されている。
そして、（ａ）に示す避雷構造では、ピラスターＡの両外側突条部８１Ａにおける外側傾斜面８１ａの先端側部位には、ピラスターＡの長手方向に沿う細帯状のステンレス鋼製の避雷導体８２が外側傾斜面８１ａと面一状態で配置され、この避雷導体８２の長手方向の複数個所はアンカーボルト８３で固定されている。アンカーボルト８３の少なくとも一部は、ピラスターＡの鉄筋８４に電気導体８５で接続されている。
また、避雷導体８２には、図示はしないが型枠取付け用のタップ穴が形成されている。
【００４５】
また、（ｂ）に示す避雷構造では、ピラスターＡの両外側突条部８１Ａにおける先端面８１ｂの左右方向中央位置に、ピラスターＡの長手方向に沿う細帯状のステンレス鋼製の避雷導体８２が先端面８１ｂと面一状態で配置され、この避雷導体８２の長手方向の複数個所はアンカーボルト８３で固定されている。アンカーボルト８３の少なくとも一部は、ピラスターＡの鉄筋８４に電気導体８５で接続されている。
また、避雷導体８２には、図示はしないが型枠取付け用のタップ穴が形成されている。
【００４６】
〔その他の実施形態〕
（１）上述の第１実施形態では、コンクリート製の第１外壁部をプレキャストコンクリート製のピラスターＡから構成したが、この第１外壁部を軽量コンクリート製カーテンウォールやプレキャストコンクリート製カーテンウォールから構成してもよく、さらに、カーテンウォール以外のコンクリート製外壁構造体から構成してもよい。それらの何れの場合も、コンクリート製の第１外壁部を他の第２外壁部よりも建物外部側に突出形成することになる。
また、上述の第１実施形態では、第２外壁部をガラスカーテンウォールから構成したが、この第２外壁部をアルミニウムなどの金属を利用した金属製のカーテンウォールや、カーテンウォール以外の壁構造体から構成してもよい。
【００４７】
（２）上述の第１実施形態では、ダクト型ピラスターＡ１の左右両側に近接位置する縦額縁３８間に、ダクト型ピラスターＡ１の通風路２１に連通する状態で室内側に開口する拡張通風路３９を形成し、通風路２１と拡張通風路３９とで形成される統合通風路の横断面形状を凸状に構成したが、この構成に限定されるものではない。例えば、ピラスターＡの通風路２１からのみ構成してもよい。
【００４８】
（３）上述の第１実施形態では、通風路２１を屋内竪ダクトとするダクト型第１外壁部（ダクト型ピラスターＡ１）と、通風路２１と建物外部との間で給排気する給排気型第１外壁部（給排気型ピラスターＡ２）との組み合せから構成したが、この構成に限定されるものではない。例えば、ダクト型第１外壁部（ダクト型ピラスターＡ１）のみで構成してもよく、また、これとは逆に、給排気型第１外壁部（給排気型ピラスターＡ２）のみで構成してもよい。
【００４９】
（４）上述の第１実施形態では、給排気型ピラスターＡ２に、通風路２１の左右方向両側部と外側溝部５２の左右方向両側部とをそれぞれ連通する一対の給排気用のスリット５３を形成したが、この給排気用のスリット５３は一つ又は三つ以上であってもよい。
【符号の説明】
【００５０】
Ａ        第１外壁部（ピラスター）
Ａ１      ダクト型第１外壁部（ダクト型ピラスター）
Ａ２      給排気型第１外壁部（給排気型ピラスター）
Ｂ        第２外壁部（ガラスカーテンウォール）
Ｃ        シャッター機構
２１      通風路
５３      スリット
５４      雨水侵入抑制構造
【図１】
2018096055.tif 000003
【図２】
2018096055.tif 000004
【図３】
2018096055.tif 000005
【図４】
2018096055.tif 000006
【図５】
2018096055.tif 000007
【図６】
2018096055.tif 000008
【図７】
2018096055.tif 000009
【図８】
2018096055.tif 000010